(57)【要約】【課題】  手首に装着した際に回転しにくく、また、装着者が表示部を視認できる位置に配置でき、表示部が見やすいリスト機器を提供する。【解決手段】  リスト機器１０は、手首に帯状の装着部材によって巻回して装着するリスト機器であって、装着部材としてのバンド１５の長手方向の略中央部に設けられるリスト機器１０の駆動制御を行う制御回路２５を格納する制御部２０と、制御部２０とバンド１５の長手方向に並列して設けられ、少なくとも時刻を表示する表示部４０と、を備え、制御部２０が手の甲側に配置されると共に、リスト機器１０を手首に装着した際に、表示部４０が、装着者の視認方向に配置されている。【選択図】      図２
2006200909.tif 000002
【特許請求の範囲】
【請求項１】
手首に帯状の装着部材によって巻回して装着するリスト機器であって、
前記装着部材の長手方向の略中央部に設けられ、前記リスト機器の駆動制御を行う制御回路を格納する制御部と、
前記制御部と前記装着部材の長手方向に並列して設けられる少なくとも時刻を表示する表示部と、を備え、
前記制御部が手の甲側に配置されると共に、
前記リスト機器を手首に装着した際に、前記表示部が、装着者の視認方向に配置されていることを特徴とするリスト機器。
【請求項２】
請求項１に記載のリスト機器において、
前記制御部が通常使用状態で変形しない程度の剛性を有し、前記制御部の手首との接触する部位に前記リスト機器の回転止め部が形成されていることを特徴とするリスト機器。
【請求項３】
請求項１または請求項２に記載のリスト機器において、
前記表示部が手首の断面形状に沿って湾曲していることを特徴とするリスト機器。
【請求項４】
請求項１ないし請求項３のいずれか一項に記載のリスト機器において、
前記表示部を構成する電気化学表示パネルが可撓性を有することを特徴とするリスト機器。
【請求項５】
請求項１ないし請求項４のいずれか一項に記載のリスト機器において、
前記制御部の外側表面または側面に前記リスト機器を操作するための外部操作部材が備えられていることを特徴とするリスト機器。
【請求項６】
請求項１ないし請求項５のいずれか一項に記載のリスト機器において、
前記制御部に外部環境測定センサ、または生体測定センサが搭載されていることを特徴とするリスト機器。
【請求項７】
請求項１ないし請求項６のいずれか一項に記載のリスト機器において、
前記制御部の外側表面に発光素子を備えることを特徴とするリスト機器。
【請求項８】
請求項１ないし請求項７のいずれか一項に記載のリスト機器において、
前記制御部に太陽光発電パネルが備えられていることを特徴とするリスト機器。
【請求項９】
請求項１ないし請求項８のいずれか一項に記載のリスト機器において、
前記リスト機器を手首に装着した際に、前記制御部の視認可能な表面に装飾が施装されていることを特徴とするリスト機器。
【発明の詳細な説明】
【技術分野】
【０００１】
本発明は、リスト機器に関し、詳しくは、制御部と表示部の配置構造に関する。
【背景技術】
【０００２】
従来、手首等に巻回して装着する環状のリスト機器において、装着部材の表面に沿ってほぼ全周にわたって、液晶表示部が形成されているもの、または、液晶表示部を小さい駒状にユニット化し、このユニットを装着部材のほぼ全周にわたって連結し、時刻、カレンダーやキャラクターを表示するもの、あるいは、装着部材の長手方向中央に指針による時刻表示部を備え、その両側に前述の小さい駒状の液晶表示ユニットを連結したリスト機器というものが知られている（例えば、特許文献１参照）。
【０００３】
【特許文献１】米国特許第６２１６４９０号公報
【発明の開示】
【発明が解決しようとする課題】
【０００４】
このような特許文献１では、このリスト機器は、装着部材の全周にわたって時刻表示、またはカレンダー表示等を表示する液晶表示部が設けられているが、リスト機器を手首等に装着した際に、装着者の視認方向の反対側（手首の外側方向）にある表示を読み取ることができず、手首を回したり、あるいはリスト機器を手首に沿って回すことが必要になるという課題を有している。
【０００５】
また、このようなリスト機器は、手首等に装着したときに、手首に沿って回転してしまうことが考えられ、読みたい表示部分が視認不可能な位置に移動してまっているというような課題もある。
【０００６】
本発明の目的は、手首に装着した際に回転しにくく、また、表示部を装着者が視認できる位置に配置でき、表示部を見やすいリスト機器を提供することである。
【課題を解決するための手段】
【０００７】
本発明のリスト機器は、手首に帯状の装着部材によって巻回して装着するリスト機器であって、前記装着部材の長手方向の略中央部に設けられる前記リスト機器の駆動制御を行う制御回路を格納する制御部と、前記制御部と前記装着部材の長手方向に並列して設けられ、少なくとも時刻を表示する表示部と、を備え、前記制御部が手の甲側に配置されると共に、前記リスト機器を手首に装着した際に、前記表示部が、装着者の視認方向に配置されていることを特徴とする。
ここで、表示部に表示される内容としては、例えば、時刻、カレンダーの他、リスト機器で測定される種々の測定データがある。
【０００８】
この発明によれば、リスト機器を手首等に装着した際に、表示部が装着者から視認できる範囲に配置されているため、時刻等を読む場合において、手首を回したり、あるいはリスト機器を表示部が視認できる位置まで移動することなく、自然な姿勢で時刻等を読み易いリスト機器を実現することができる。
【０００９】
また、前述の構造のリスト機器は、前記制御部が通常使用状態で変形しない程度の剛性を有し、前記制御部の手首と接触する部位に前記リスト機器の回転止め部が形成されていることが好ましい。
なお、前述の制御部には、詳しくは後述する実施の形態において説明するが、例えば、このリスト機器のシステムを制御する制御回路を含むＣＰＵ（Ｃｅｎｔｒａｌ  Ｐｒｏｃｅｓｓｉｎｇ  Ｕｎｉｔ）及び表示部の駆動制御を行う駆動制御回路（ドライバー）等を含む。
【００１０】
このようにすれば、制御部は、手首に装着する際、または通常使用状態で変形しない程度の剛性を有しているため、前述したＣＰＵ、駆動制御回路など構造的強度が小さい回路素子に歪みを与えないよう保護することができ、また、制御部には、回転止め部が設けられているために、手首等に装着した際に、回転することを防止することができるので、表示部を見やすい位置に保持できるという効果がある。
【００１１】
また、本発明では、前記表示部が手首の断面形状に沿って湾曲していることが好ましい。
【００１２】
このような構造にすれば、表示部が手首に沿って湾曲しているため、表示部に表示される時刻等が、表示部のどの位置にあっても読みやすく、また、手首に違和感なく装着することができる。
【００１３】
また、前記表示部を構成する電気化学表示パネルが可撓性を有することが好ましい。
ここで、電気化学表示パネルとしては、例えば、液晶表示パネル、有機ＥＬパネルやＬＥＤ表示パネル、電気泳動パネル等を採用することができ、それらの基材としては、例えば、合成樹脂の薄板や可撓性を有する程度の厚みに形成されるガラス等がある。
【００１４】
このように、表示部を構成する電気化学表示パネルが可撓性を有しているので、手首等に装着した際に、手首に沿って表示部を湾曲させることができるため、手首に馴染み易いので装着感がよく、また、手首が太い人、細い人にも装着しやすいという効果がある。
【００１５】
また、本発明では、前記制御部の外側表面または側面に前記リスト機器を操作するための外部操作部材が備えられていることが好ましい。
ここで、外部操作部材としては、例えば、操作ボタン、タッチスイッチ等を採用することができる。
【００１６】
このような構造によれば、制御部の外側表面または側面に外部操作部材を備えているために、表示部、あるいは剛性を有する制御部以外の装着部材には、外部操作部材を備える必要がないため構造が簡単になり、また装着部材の厚みを増すことがないので、湾曲し易くなるという効果がある。
【００１７】
また、前記制御部に外部環境測定センサ、または生体測定センサが搭載されていることが好ましい。
ここで、外部環境測定センサとしては、例えば、水圧センサ、大気圧センサ等の圧力センサ、温度センサ等、生体測定センサとしては、体温測定センサや脈拍測定センサ等を採用することができる。
【００１８】
このように、外部環境測定センサ、生体測定センサは、一般的に歪みに対して耐性がなく、剛性を有する制御部に備えられることで歪みが発生しにくいので、精度が高い測定値を得ることができる。また、これらのセンサを制御部に備えることによって、表示部や装着部材の可撓性を低下させることがない。
さらには、制御部内に備えられる制御回路等の近傍に前述のセンサを配置することができるので、配線距離を短くすることができ、耐ノイズ性を向上させることができる。
【００１９】
また、本発明では、前記制御部の外側表面に発光素子を備えることが好ましい。
発光素子としては、例えば、ＬＥＤ（Ｌｉｇｈｔ  Ｅｍｉｔｔｉｎｇ  Ｄｉｏｄｅ）等を採用することができる。
【００２０】
このように、発光素子を備え、正常駆動をしている際には、発光素子を１秒点滅させれば、リスト機器が正常に駆動していることを知ることができ、また、前述したセンサの測定値が閾値を超えた場合には発光素子を警告点灯させることができるので、使用者の安全性を高めることができる他、リスト機器の機能をより充実させることができる。
【００２１】
さらに、制御部に発光素子を備えることで、装着者以外にも、前述したような警告点灯を認知させることができ、仮に、潜水をしているような場合に、所定の水深を超えたときに水深警告点灯を行うことで、安全性を高めることができるというような効果がある。
【００２２】
また、前記制御部に太陽光発電パネルが備えられていることが好ましい。
【００２３】
制御部は、前述したように手の甲側に設けられており、この位置は、装着した際に影になりにくいので安定した発電量を得ることができる。また、制御部には制御回路等を格納しているので、太陽光発電パネルとの接続が容易で、このことから、制御部内のスペース効率を高めることができる。
【００２４】
さらに、本発明では、前記リスト機器を手首に装着した際に、前記制御部の視認可能な表面に装飾が施装されていることが望ましい。
ここで、装飾としては、例えば、文字、キャラクターや貴石（輝石ｂ）等を施装することができる。
【００２５】
前述したように、制御部は、手の甲側に配置されており、装着者以外の視野に入りやすいこともあるため、制御部の表面に装飾を施すことで、ブレスレット等の装飾品として使用することができる。また、制御部の表面は、面積が広いため、装飾手段も様々に選択することができる。
【発明を実施するための最良の形態】
【００２６】
以下、本発明の実施の形態を図面に基づいて説明する。
図１〜図６は本発明に係る実施形態１のリスト機器が示されている。図７には、実施形態２、図８には、実施形態３、図９には、実施形態４が示されている。
（実施形態１）
【００２７】
図１〜図６は実施形態１に係るリスト機器が示されている。
図１は、本実施形態に係るリスト機器１０を手首に装着した状態を示す外観図である。本実施形態は、水深計測が可能な外部環境測定センサとしての圧力センサ７０を搭載するリスト機器を例示している。図１において、リスト機器１０は、手首に装着部材としてのバンド１５によって巻回され装着されている。バンド１５には、制御部２０と表示部４０とが図で示すようにバンド１５の長手方向に並列して備えられている。
【００２８】
制御部２０には、外観視において圧力センサ７０と、外部操作部材としての操作ボタン８０，８１，８２が備えられている。また、表示部４０には、電気光学表示パネルとしての液晶表示パネル５０が備えられており、時刻及び水深が表示されている。
【００２９】
ここで、このリスト機器１０を手首に装着した際、手の甲側のバンド１５の長手方向の略中部に制御部２０が配置され、手首の側面側の装着者が視認できる方向（図中、矢印Ａ方向）に表示部４０が配置されている。
本実施形態によるリスト機器１０の構造は、図２以降に詳しく説明する。
【００３０】
図２には、本実施形態に係るリスト機器１０の斜視図が示されている（図１における矢印Ｂ方向）。図２において、バンド１５は、可撓性を有する材料から構成され、両端を結合するための中留め１７を備えている。
なお、本実施形態では、中留め１７を採用しているが、中留めとしては、二つ折れ型、三つ折れ型の中留め、中留め以外の結合部材としては美錠を採用することができる。
【００３１】
中留め１７の反対側のバンド１５の略中央部に制御部２０が備えられている。制御部２０は、機枠部１６と蓋体１８とから形成され、機枠部１６の手首に接触する側の底面はほぼ平面に形成された回転止め部１６Ａが設けられており、機枠部１６は、バンド１５と連続して形成されている。また、蓋体１８は、機枠部１６に溶着されている。この機枠部１６と蓋体１８によって形成される空間１９（図３、参照）に、制御回路等を含む回路素子が格納されている。
【００３２】
手首を生体的にみると、撓骨と尺骨とが手の甲に対して略平行に配列しており、これら撓骨と尺骨とから構成される手の甲側の手首表面に回転止め部１６Ａが当接する位置に配置することによって、手首にリスト機器１０を装着した際に回転しにくい形状を形成している。
【００３３】
制御部２０の手首に対して外側には、圧力センサ７０の一部が露出して備えられ、外部操作部材としての操作ボタン８０，８１，８２の端部が突出して備えられている。本実施形態では１例として、操作ボタン８０には表示部４０のモード切換え機能、操作ボタン８１には時刻修正機能、操作ボタン８２にはリセット機能が備えられている。
なお、これら操作ボタン８０〜８２は、前述した機能及び配列順、数に限定されず、他の機能を有し、また、配列を変えることが可能で、リスト機器１０の保有する機能に合わせて選択することができる。
【００３４】
制御部２０は、機枠部１６と蓋体１８とを溶着することで、制御部２０以外の部位に比べ厚く形成され、リスト機器１０を手首に装着した際、及びバンド１５を撓めた際において、変形しない程度の剛性を有するように設計されている。
【００３５】
表示部４０は、電気化学表示パネルとしての液晶表示パネル５０によって構成され、図２では、上段に時刻６１（１２：００）、下段に水深６２（１０．００ｍ）が表示されている。表示部４０は、手首に装着した際に、自然な姿勢で表示面の全領域が視認できる範囲に配置されている。
【００３６】
続いて、本実施形態のリスト機器１０における制御部２０及び表示部４０の構造及び製造方法について図面を参照して説明する。
図３は、本実施形態のリスト機器１０の構造の主要部を示す断面図である。中留め１７は周知の構造を採用しているので、図示及び説明を省略する。図３において、バンド１５に連続する機枠部１６の上面には、ＦＰＣ（Ｆｌｅｘｉｂｌｅ  Ｐｒｉｎｔｅｄ  Ｃｉｒｃｕｉｔ）２１が載置固定され、端部には、電池９０が格納される凹部が形成されている。
【００３７】
機枠部１６の周縁部には溶着面１５Ｃが形成されており、蓋体１８の周縁部が溶着されて、空間１９が形成されている。機枠部１６の手首との接触面は略平面の回転止め部１６Ａが形成され、その両端部には、溝１５Ａが穿設されている。一方、溝１５Ａとは反対側の略同じ位置にも溝１５Ｂが形成されている。これらの溝１５Ａ，１５Ｂは、バンド１５を撓めたり、手首に装着する場合に、制御部２０に歪みが懸からないよう、また、手首の断面形状に沿って違和感なく装着できるように配慮して設けられたものである。
【００３８】
機枠部１６の一方側（装着者側の視認方向）には、液晶表示パネル５０が装着される凹部１５Ｆが穿設されており、液晶表示パネル５０は、制御部側端部がＡＣＦ５１（Ａｎｉｓｏｒｏｔｒｏｎｉｃ  Ｃｏｎｄｕｃｔｉｖｅ  Ｆｉｌｍ）によって前述したＦＰＣ２１に接続されている。
【００３９】
ＦＰＣ２１は、帯状の基板で、表面には図示しない配線パターンが形成されており、液晶駆動回路（ドライバー）２３、ＣＰＵ２２、圧力センサ７０が接続されている。また、電池９０の＋、−端子は、リード板９１，９２によって、前述の回路素子に配線パターンによって接続されている。
【００４０】
圧力センサ７０は、一方の端部がＦＰＣ２１に接続され、他方の端部が蓋体１８から外部に覗くように配置され、圧力センサ７０と蓋体１８との間にはパッキン６６が備えられ、水の浸入を防止している。また、操作ボタン８０〜８２は、空間１９から蓋体１８の外側に突出しており、空間側の端部は、ラバースイッチ３０の端部に当接し、ラバースイッチ３０の弾性力によって、外側方向に付勢されている。操作ボタン８０〜８２と蓋体１８の間にもパッキン６５が備えられ、水の浸入を防止している。
【００４１】
ラバースイッチ３０は、一方が開口された容器状をしており、導電性粒子が混入された合成ゴムからなり、前述の操作ボタン８０〜８２を押操作したときに、中央部の凸部がＦＰＣ２１の配線パターンを接続して所定の入力をする構造である。
【００４２】
このようにして、ＦＰＣ２１に液晶駆動回路２３、ＣＰＵ２２、圧力センサ７０、電池９０、リード板９１，９２を接続した後に、蓋体１８を機枠部１６の溶着面１５Ｃに溶着することで制御部２０が形成される。
なお、蓋体１８と機枠部１６との接合は、溶着に限らず接着や、固定螺子による螺合、固定軸による軸止などの手段を選択することができる。
【００４３】
一方の表示部４０側において、ＦＰＣ２１の端部をパネル装着部としての凹部１５Ｆに延在させ、ＡＣＦ５１によって、液晶表示パネル５０と接続する。ＡＣＦ５１は、バインダと呼ばれるエポキシ系主剤の絶縁樹脂の中に、フィラーと呼ばれる直径数μｍの導電性粒子が均等に混入されたもので、熱圧着をすることで、微細ピッチのＦＰＣ２１と液晶表示パネル５０の配線パターン（図示せず）とを高精度で、且つ小スペースで接続することができる。
【００４４】
液晶表示パネル５０は、バンド１５の外側方向から凹部１５Ｆ内に載置される。凹部１５Ｆには、液晶表示パネル５０の周縁部のみを載置する段部１５Ｇが形成されており、その段部のみが液晶表示パネル５０に接触する。
【００４５】
液晶表示パネル５０の構造は、上パネルと下パネルの間に液晶を収納したもので、この構造は周知であり説明は省略するが、上パネル及び下パネルはそれぞれ合成樹脂からなる薄板で形成されて可撓性を有し、手首に装着した際に、手首の曲率と概ね同じ曲率まで撓めることを可能としている。
【００４６】
液晶表示パネル５０を凹部１５Ｆ内に装着したのち、透明な風防ガラス５２をバンド１５の溶着面１５Ｄに溶着する。風防ガラス５２は、アクリル系樹脂のような光透過率が高い材料で形成され、液晶表示パネル５０に近い可撓性を有し、且つ、液晶表示パネル５０を通常の使用状態における外力から保護するだけの構造的強度を有するように設計されている。
なお、風防ガラス５２は溶着に限らず接着固定が可能であり、紫外線硬化型接着剤は、取り扱いが容易であり、透明な風防ガラスの固定に適している。
【００４７】
また、風防ガラス５２には、液晶表示パネル側に液晶表示パネル５０の周縁部（上下パネルの封止部に相当する）を押圧するパネル押え部５２Ａが突出されている。風防ガラス５２を溶着したとき、液晶表示パネル５０は、前述したバンド側の段部１５Ｇと風防ガラス側のパネル押え部５２Ａによって押圧固定される。このように、段部１５Ｇとパネル押え部５２Ａを設けることによって、液晶パネル５０が撓められた際に、液晶表示部が風防ガラス５２とバンド１５に空間が形成されて接触しないように配慮している。
【００４８】
続いて、制御部２０及び表示部４０の平面方向の構造について図４、図５を参照して、さらに詳しく説明する。
図４は、本実施形態に係る制御部２０の平面図である。図４では、説明を分かりやすくするために、蓋体１８を透視した状態を示している。図４において、制御部２０は、機枠部１６の内部にＦＰＣ２１が装着されている。ここで、前述した液晶駆動回路２３、操作ボタン８０〜８２、圧力センサ７０、ＣＰＵ２２、電池９０それぞれが、図示した位置にバランスよく配置されている。
【００４９】
機枠部１６の周縁部には同一平面で構成された溶着面１５Ｃが形成されており、溶着面１５Ｃは、ＦＰＣ２１を取り囲んでいるため、空間１９（図３、参照）は密閉されている。ＦＰＣ２１の一方の端部は、表示部４０側に延在されている。
【００５０】
続いて、表示部４０について図５を参照して、さらに詳しく説明する。
図５は、表示部４０を示す平面図である。図５では、風防ガラス５２を透視した状態を示している。図５において、液晶表示パネル５０はバンド１５の凹部１５Ｆ（図３、参照）内に載置され、端部がＦＰＣ２１の端部とＡＣＦ５１（図中、ハンチングで表す）によって接続されている。
【００５１】
バンド１５の凹部１５Ｆの周縁には溶着面１５Ｄが同一平面で形成されている。また、風防ガラス５２を溶着した際、風防ガラス５２に突出形成されたパネル押え部５２Ａは、図示したように液晶表示パネル５０の周縁全周にわたって形成されており、このパネル押え部５２Ａの内側に液晶表示部が形成されており、時刻等が表示されている。
なお、風防ガラス５２の表面は、バンド１５の表面１５Ｅから突出しないように設定される。
【００５２】
次に、本実施形態に係るシステムについて図面を参照して説明する。
図６は、本実施形態によるリスト機器１０のシステムの一例を示すブロック図である。図６において、リスト機器１０は、基本構成として、システム全体の制御を行うＣＰＵ２２と、液晶表示パネル５０と、液晶表示パネル５０の駆動制御を行う液晶駆動回路（ドライバー）２３と、圧力センサ７０と、操作ボタン８０〜８２と、前述した各回路に電力を供給する電池９０とから構成されている。
【００５３】
ここで、ＣＰＵ２２、液晶駆動回路２３、圧力センサ７０、操作ボタン８０〜８２、電池９０とは、制御部２０に備えられ、液晶表示パネル５０は、表示部４０に備えられている。
【００５４】
ＣＰＵ２２についてさらに詳しく説明する。ＣＰＵ２２には、発信器を含む時刻制御回路２４と、圧力センサ７０の圧力値を検出し、制御回路２５に検出信号を入力するセンサ制御回路２８と、操作ボタン８０〜８２からの操作信号を制御回路２５に入力する操作制御回路２７と、電池９０からの電力を、前述した時刻制御回路２４、センサ制御回路２８、操作制御回路２７及び制御回路２５に所定の電圧に変換して供給する電圧制御回路２６とを備えている。制御回路２５は、前述した各回路の制御を行うことにより、リスト機器１０の全体の駆動制御を行う。また、圧力センサ７０からの測定情報から水深等の値に変換する演算回路を含んでいる。センサ制御回路２８は、圧力センサ７０の検出データをＡ／Ｄ変換し、検出信号として制御回路２５に入力する。
【００５５】
時刻制御回路２４と制御回路２５からの出力される信号はインターフェースＩ／Ｏを介して液晶駆動回路２３に入力され、液晶駆動回路２３は液晶表示パネル５０の表示駆動及び制御を行う。
【００５６】
なお、前述した実施形態１では、外部環境測定センサとして水深計測用の圧力センサ７０を搭載した例をあげ説明しているが、圧力センサとして大気圧センサを同様な構造、配置で採用することができる。
【００５７】
また、他の外部環境測定センサを採用することができる。例えば、外気の温度を測定する温度センサを採用することができる。この場合には、温度センサは、前述の圧力センサ７０とほぼ同じ配置にすることができるが、体温の影響が加わらないように、温度センサと機枠部１６との間に断熱材を備えることが好ましい。
【００５８】
さらに、生体測定センサとして体温を測定する温度センサ、脈拍測定センサ等を搭載することができる。このような場合には、これらのセンサは、手首に接触する位置に配置され、脈拍測定センサについては、所定の測定位置に配置することが好ましく、撓骨センサ等が採用される。
【００５９】
また、前述の実施形態１では、表示部４０には、時刻表示と水深表示が例示されているが、リスト機器が有する機能にあわせ、カレンダー表示、タイマー表示、時間計測表示など様々な表示を行うことが可能である。
【００６０】
従って、前述の実施形態１によれば、リスト機器１０を手首等に装着した際に、表示部４０が装着者から視認できる範囲に配置されているため、時刻等を読む場合において、手首を回したり、あるいはリスト機器１０を表示部４０が視認できる位置まで移動することなく、自然な姿勢で時刻等を読みやすいリスト機器１０を実現することができる。
【００６１】
また、制御部２０は、手首に装着する際、または通常使用状態で変形しない程度の剛性を有しているため、前述したＣＰＵ２２、液晶駆動回路２３など構造的強度が小さい回路素子に歪みを与えないように保護することができ、また、制御部２０には回転止め部１６Ａが設けられているために、手首等に装着した際に、回転することを防止することができるので、表示部４０が見易い位置に保持できるという効果がある。特に、リスト機器１０がスキューバウオッチである場合、ウエットスーツ上に装着されるため、表示部４０を見る場合に、リスト機器を見やすい位置に回転することができないので、本発明による効果が大きい。
【００６２】
また、表示部４０が手首に沿って湾曲しているため、表示部４０に表示される時刻等が、表示部４０のどの位置に表示されていても読みやすく、また、手首に違和感なく装着することができる。
【００６３】
さらに、液晶表示パネル５０が可撓性を有しているので、手首等に装着した際に、手首に沿って表示部４０を湾曲させることができるため、手首に馴染み易く、装着感がよく、また、手首が太い人、細い人にも装着しやすいという効果がある。
【００６４】
また、制御部２０の外側表面または側面にリスト機器１０を操作するための操作ボタン８０〜８２が備えられているので、表示部４０、あるいは剛性を有する制御部２０以外のバンド１５には、外部操作部材を備える必要がないため構造が簡単になり、またバンド１５の厚みを増すことがないので、湾曲しやすくなるという効果がある。
【００６５】
また、剛性を有する制御部２０に圧力センサ７０を備えているために、歪みに対して耐性が小さい圧力センサ７０に歪みが発生しにくいので、精度が高い測定値を得ることができる。さらに、制御部２０内に備えられるＣＰＵ２２の近傍に圧力センサ７０を配置することができるので、配線距離を短くすることができ、耐ノイズ性を向上させることができる。
（実施形態２）
【００６６】
続いて、本発明に係る実施形態２について、図面を参照して説明する。実施形態２は、前述した実施形態１に比べ、操作ボタンの位置を機枠部１６の側面に配置したことに特徴を有し、他の構造は実施形態１と同じであるため説明を省略し、同じ符号を付して説明する。
【００６７】
図７は実施形態２に係るリスト機器１０を示し、図７（ａ）は、リスト機器１０の全体外観を示す斜視図、図７（ｂ）は、操作ボタン８２に係る構造を示す部分断面図である。図７（ａ）において、外部操作部材としての操作ボタン８０〜８２は、制御部２０の機枠部側面１６Ｂに配置されている。従って、実施形態１（図２、参照）とは、操作ボタン８０〜８２が制御部２０の上面から側面に移動していることが相違点である。
図７（ｂ）で、操作ボタンに係る構造について詳しく説明する。
【００６８】
図７（ｂ）は、操作ボタンに係る構造を示す断面図であり、図７（ａ）で示すＤ断面を示している。また、操作ボタン８０〜８２は、それぞれ同じ構造を採用しているので、操作ボタン８２を例示し説明する。図７（ｂ）において、操作ボタン８２は、機枠部１６の機枠部側面１６Ｂに開設された孔に挿通されている。
【００６９】
操作ボタン８２は、機枠部側面１６Ｂの内部に鍔を有する軸部材であり、一方の端部が機枠部側面１６Ｂの外側に突出し、他方の端部がスイッチ板３５に当接され、スイッチ板３５によって機枠部側面１６Ｂの内側の壁に付勢されている。機枠部側面１６Ｂと操作ボタン８２の間にはリング状のパッキン６５が備えられ、機枠内部に水が浸入することを防止している。
【００７０】
スイッチ板３５は、機枠部１６の底部に設けられたＬ字状の導電性材料からなる部材で、操作ボタン８２を押すことにより初期状態３５Ａから３５Ｂの位置まで移動し、ＦＰＣ２１に形成された配線パターン２１Ａと接触し、スイッチが入力される。配線パターン２１Ａは、ＦＰＣ２１の端面にまで形成され、スイッチ板３５と接触することでスイッチ入力される。
【００７１】
従って、前述した実施形態２によれば、操作ボタン８０〜８２を、制御部２０の側面に配置しているので、手首等に装着して使用する際に、制御部２０の上面に配置する構造に比べ誤入力されることを低減することができる。また、機枠部側面１６Ｂに備えているため、同じ機枠部１６に備えられるＦＰＣ２１の配線パターン２１Ａとの相互位置の精度を高めることができる。
（実施形態３）
【００７２】
続いて、本発明に係る実施形態３について図面を参照して説明する。実施形態３は、前述した実施形態１、実施形態２に比べ、制御部２０の上面に発光素子としてのＬＥＤを備えたところに特徴を有しており、共通部位には同じ符合を付して説明する。
図８は、実施形態に係るリスト機器１０の構造を示し、図８（ａ）は、リスト機器１０の全体外観を示す斜視図、図８（ｂ）は、ＬＥＤ７１に係る構造を示す部分断面図である。図８（ａ）において、ＬＥＤ７１Ａ〜７１Ｃは、制御部２０の上面に直列配置して設けられている。
【００７３】
ＬＥＤ７１Ａ〜７１Ｃは、前述の実施形態１の操作ボタン８０〜８２（図２、参照）とほぼ同位置に配置され、本実施形態では、操作ボタン８０〜８２は、前述の実施形態２（図７（ａ）、参照）と同じ構造で、同じ位置（図中、機枠側面１６Ｂ）に配置されている。ＬＥＤ７１Ａ，７１Ｂ，７１Ｃはそれぞれ同じ色で統一しても、別の色にしてもよく、それらの表示したい機能に合わせて自在に選択することができる。
【００７４】
本実施形態では、ＬＥＤ７１Ａは、リスト機器１０が正常駆動をしていることを示すため１秒点滅を繰り返す。この場合、ＬＥＤ７１Ａの色は緑色が選択される。また、ＬＥＤ７１Ｂは、装着者が潜水をしている状態を告知するために点灯させる。この場合ＬＥＤ７１Ｂの色は黄色が選択される。さらに、ＬＥＤ７１Ｃは、装着者が潜水をしている際に、所定の水深を超えた時に警告を発するために点灯させ、この場合には、ＬＥＤ７１Ｃの色は赤色が選択されることが好ましい。
【００７５】
次に、これらＬＥＤ７１Ａ〜７１Ｃに係る構造について図８（ｂ）を参照して説明する。図８（ｂ）は、図８（ａ）におけるＥ断面を示している。ＬＥＤ７１Ａ〜７１Ｃは、それぞれ同じ構造でＦＰＣ２１に取り付けられているので、ＬＥＤ７１Ａを例示して説明する。図８（ｂ）において、ＬＥＤ７１Ａ〜７１Ｃは、ＦＰＣ２１上面に直列に配置され、図示しない配線パターンに接続されている。
【００７６】
ＬＥＤ７１Ａの周縁には、蓋体１８から筒状に突出された光遮蔽壁１８Ａが形成され、先端部は、ＦＰＣ２１の表面まで延在されている。この光遮蔽壁１８Ａは、ＬＥＤ７１Ａから射出される光が漏れないようにして、他の隣接する回路素子への影響をなくすこと、隣接する他のＬＥＤの発光色に影響を与えないことと、光を外側に効率よく射出させるために設けられている。
【００７７】
蓋体１８のＬＥＤ７１Ａの上部には、導光体１８Ｂが設けられている。導光体１８Ｂは、アクリル系樹脂等の光透過率の高い材料で形成され、蓋体１８に圧入されている。
【００７８】
なお、発光素子としてＬＥＤ７１Ａ〜７１Ｃを採用する実施形態３においては、ＣＰＵ２２に発光素子制御回路（図示せず）が設けられる。
【００７９】
また、図８（ｂ）で示す構造以外に、ＬＥＤ７１Ａ〜７１Ｃを蓋体１８に圧入しておき、図示しないリード線等でＦＰＣ２１の配線パターンと接続する構造を採用することができる。
【００８０】
従って、前述した実施形態３によれば、ＬＥＤ７１Ａ〜７１Ｃを備えているので、リスト機器１０が正常に駆動していることを知ることができ、また、前述した圧力センサ７０の測定値が閾値を超えた場合には警告点灯させることができるので、リスト機器１０の表示機能をより充実させることができると共に、使用者の安全性を高めることができる。
【００８１】
さらに、制御部２０に発光素子７１を備えることで、装着者以外にも、前述したような警告点灯を認知させることで、仮に、潜水をしているような場合には、水深警告点灯を行うことで、より安全性を高めることができるというような効果がある。
（実施形態４）
【００８２】
続いて、本発明に係る実施形態４について図面を参照して説明する。実施形態４は、前述した実施形態１〜実施形態３に記載した圧力センサ７０、ＬＥＤ７１Ａ〜７１Ｃをなくし、制御部２０に太陽光発電パネルを備えていることに特徴を有している。
図９には、実施形態４に係るリスト機器１０が示されている。図９（ａ）は、リスト機器１０の全体外観を示す斜視図、図９（ｂ）は、太陽光発電パネル７２に係る構造を示す部分断面図である。図９（ａ）において、太陽光発電パネル７２は、蓋体１８の内面に装着されている。詳しくは図９（ｂ）を参照して説明する。
【００８３】
操作ボタン８０〜８２は、実施形態２（図７（ａ）、（ｂ）、参照）と同様に機枠部側面１６Ｂに配置されている。構造も実施形態２と同じであるため説明を省略する。
【００８４】
本実施形態では、表示部４０には、図で示すように上段に時刻６１（１２：００）が表示され、下段には、カレンダー６３（６．Ｊｕｎ．２００５）が表示されている。
なお、これら表示内容も前述したように限定されるものではなく、１例をしめしたものである。
【００８５】
続いて、太陽光発電パネル７２の装着構造について、図９（ｂ）を参照して詳しく説明する。
図９（ｂ）は、図９（ａ）で示す操作ボタン方向から視認した断面図である。図９（ｂ）において、太陽光発電パネル７２は、能動面を上方にして蓋体１８の内側の面に透明な接着剤等で貼着されている。そして、太陽光発電パネル７２の裏面に形成される電極（図示せず）にＦＰＣ２１に取り付けられたリード板３６に接続されている。
【００８６】
蓋体１８は、光透過率が高いアクリル系樹脂で形成されており、平面視して太陽光発電パネル７２の周縁部まで延在される光遮蔽膜１８Ｃが形成されており、外光が、制御部２０の内部まで達しないようにマスキングされている。
【００８７】
なお、光遮蔽膜１８Ｃは、蓋体１８の内面に設けることもできる。また、ＣＰＵ２２は、充電制御回路（図示せず）を含んでおり、電池（図示せず）に充電する。電池は充電可能な二次電池等が採用される。
【００８８】
従って、前述した実施形態４によれば、制御部２０は、前述したように手の甲側に向けて設けられており、この制御部２０に太陽光発電パネル７２を備えているために、この位置は、手首等に装着した際に影になりにくいので発電量を高めることができる。また、制御部２０にはＣＰＵ２２等を格納しているので、配線し易く、スペース効率を高めることができる。
さらに、制御部２０に装着する太陽光発電パネル７２は、面積を大きくすることが可能であり、十分な発電量を得られやすいという効果がある。
（実施形態５）
【００８９】
続いて、本発明に係る実施形態５について説明する。実施形態５は、制御部２０の視認可能な表面に装飾を施装したことに特徴を有している。本実施形態は、前述した実施形態１〜実施形態４に応用することができ、リスト機器１０の装飾性を高めることを目的としている。
【００９０】
図示しないが、実施形態５は、制御部２０の表面（上面及び側面を含む）に、文字やキャラクターを施装し、あるいは宝石等の貴石（輝石）が取り付られる。文字やキャラクターは、蓋体１８や機枠部側面１６Ｂに印刷、彫りこみ等によって形成する、または他の部材で形成しておき蓋体１８や機枠部側面１６Ｂに取り付けることができる。
【００９１】
従って、この実施形態５によれば、制御部２０は、手の甲側に配置されており、装着者以外の視野に入りやすいこともあるため、制御部２０の表面に装飾を施すことで、装飾品（ブレスレット）として使用することができる。また、制御部２０の表面は、面積が広いため、装飾手段も様々に選択することができる。
【００９２】
なお、本発明は前述の実施形態に限定されるものではなく、本発明の目的を達成できる範囲での変形、改良等は本発明に含まれるものである。
例えば、前述の実施形態１では、制御部２０に圧力センサ７０を搭載する例、実施形態３では、ＬＥＤ７１Ａ〜７１Ｃを搭載する例、実施形態４では、太陽光発電パネル７２を搭載した例を示したが、制御部２０の通信機能部材を備えることもできる。
【００９３】
通信機能部材の１例としては、時刻標準電波を受信するアンテナや通信制御回路を備え、リスト機器を電波修正時計とすることができる。このような場合、制御部２０と表示部４０とが分離配置されているために、制御部２０内にサイズが大きくなる長波受信アンテナを内蔵することができ、また、表示部４０（液晶表示パネル５０）に形成される透明電極等による受信性能への影響を排除することができる。
【００９４】
また、前述した実施形態１〜実施形態４では、それぞれ特徴ある構成を単独に設けているが、それぞれを選択的に組み合わせることも可能である。
【００９５】
さらに、前述の実施形態１〜実施形態５では、外部操作部材として操作ボタン８０〜８２を備えているが、液晶表示パネル５０のタッチセンサ用の電極を形成し、このタッチセンサに触れることでリスト機器１０の操作を行うことができる。
【００９６】
タッチセンサは、リスト機器の表面に突出する操作ボタンをなくすことが可能で、出っ張りがないすっきりしたデザインのリスト機器を提供することができ、また、制御部２０（つまり蓋体１８、機枠部１６）の構造を簡素化することができる。さらに、操作ボタンを廃することで、制御部の内外を連通する孔が不要であるために、防水性が優れたリスト機器を提供することができる。
【００９７】
従って、前述した実施形態１〜実施形態５によれば、手首に装着した際に回転しにくく、また、表示部を装着者が視認できる位置に配置できることから、表示部を見やすいリスト機器を提供することができる。
【図面の簡単な説明】
【００９８】
【図１】本発明の実施形態１に係るリスト機器を手首に装着した状態を示す外観図。
【図２】本発明の実施形態１に係るリスト機器を示す斜視図。
【図３】本発明の実施形態１に係るリスト機器の構造を示す断面図。
【図４】本発明の実施形態１に係る制御部を示す平面図。
【図５】本発明の実施形態１に係る表示部を示す平面図。
【図６】本発明の実施形態１に係るリスト機器のシステムの一例を示すブロック図。
【図７】（ａ）は、本発明の実施形態２に係るリスト機器の全体外観を示す斜視図、（ｂ）は、操作ボタンに係る構造を示す部分断面図。
【図８】（ａ）は、本発明の実施形態３に係るリスト機器の全体外観を示す斜視図、（ｂ）は、ＬＥＤに係る構造を示す部分断面図。
【図９】（ａ）は、本発明の実施形態４に係るリスト機器の全体外観を示す斜視図、（ｂ）は、太陽光発電パネルに係る構造を示す部分断面図。
【符号の説明】
【００９９】
１０…リスト機器、１５…バンド（装着部材）、１６…機枠部、２０…制御部、４０…表示部、５０…液晶表示パネル、７０…圧力センサ、８０〜８２…操作ボタン（外部操作部材）。
【図１】
2006200909.tif 000003
【図２】
2006200909.tif 000004
【図３】
2006200909.tif 000005
【図４】
2006200909.tif 000006
【図５】
2006200909.tif 000007
【図６】
2006200909.tif 000008
【図７】
2006200909.tif 000009
【図８】
2006200909.tif 000010
【図９】
2006200909.tif 000011